(57)【要約】【課題】識別情報を読み取り易い医科歯科用ハンドピースを提供することを目的とする。【解決手段】医科歯科用ハンドピースは、本体部と、本体部に設けられ、術者が把持する把持部とを含む。把持部とならない本体部の外周面に、識別情報を示す一次元または二次元の識別コードが付されている。【選択図】図２
2019216994.tif 000002
【特許請求の範囲】
【請求項１】
本体部と、
前記本体部に設けられ、術者が把持する把持部とを備え、
前記把持部とならない前記本体部の外周面に、識別情報を示す一次元または二次元の識別コードが付されている、医科歯科用ハンドピース。
【請求項２】
前記本体部は、一端に設けられた診療部位用のヘッド部と、他端に設けられた筒状部とを有し、
前記把持部は、前記ヘッド部と前記筒状部との間に位置し、
前記識別コードは、前記筒状部の外周面に付されている、請求項１に記載の医科歯科用ハンドピース。
【請求項３】
前記筒状部は円柱形状である、請求項２に記載の医科歯科用ハンドピース。
【請求項４】
前記本体部は、外周面のうちの少なくとも一部に形成された平面部を有し、
前記識別コードは、前記平面部に付されている、請求項１〜３のうちいずれか１項に記載の医科歯科用ハンドピース。
【請求項５】
前記本体部は、前記把持部とならない位置に凹部を有し、
前記識別コードは、前記凹部に付されている、請求項１〜４のうちいずれか１項に記載の医科歯科用ハンドピース。
【請求項６】
前記識別コードは、診療部位と対向する前記ヘッド部の診療面を下面とした場合に、前記筒状部の上面から側面にかけての面に付されている、請求項２に記載の医科歯科用ハンドピース。
【請求項７】
前記識別コードは印字により付され、
前記識別コードが付された面に透明な耐熱性コーティングが施されている、請求項１〜６のうちいずれか１項に記載の医科歯科用ハンドピース。
【請求項８】
前記把持部とならない前記本体部の外周面に、前記識別コードが複数付されている、請求項１〜７のうちいずれか１項に記載の医科歯科用ハンドピース。
【請求項９】
前記医科歯科用ハンドピースが、歯科用エアタービンハンドピース、歯科用マイクロモータハンドピース、歯科用スケーラハンドピース、歯科用スリーウェイハンドピース、歯科用バキュームハンドピース、歯科用光重合照射器、歯科用口腔内カメラ、歯科用三次元測定スキャナおよび歯科用診断用光照射器のうちのいずれかである、請求項１〜８のうちいずれか１項に記載の医科歯科用ハンドピース。
【請求項１０】
前記医科歯科用ハンドピースがコントラアングルハンドピースであって、
前記本体部は、診療用のヘッド部を含み、
前記識別コードは、前記ヘッド部の外周面のうちの診療部位と対向する診療面と反対に位置する上面に付されている、請求項１に記載の医科歯科用ハンドピース。
【請求項１１】
前記識別コードは、術者に把持されているときに、歯科用診療装置に設けられた読取装置が読み取り可能な位置に付されている、請求項１に記載の医科歯科用ハンドピース。
【請求項１２】
ＲＦＩＤをさらに備える、請求項１〜１１のうちいずれか１項に記載の医科歯科用ハンドピース。
【発明の詳細な説明】
【技術分野】
【０００１】
本発明は、医科分野または歯科分野において診療時に術者が把持する医科歯科用ハンドピースに関する。
【背景技術】
【０００２】
医院では、多くの医科歯科用ハンドピースが使用されており、個々の医科歯科用ハンドピースを識別して管理する必要があった。そこで、近年、国際的に医科歯科用ハンドピースを含む医療機器に対して識別表示を求める規制が進められるようになってきた。例えば、米国では米国食品医薬品局（ＦＤＡ）から医療機器に対する個別表示に関する法律が２０１３年に定められ、機器固有識別子（ＵＤＩ）による識別システムが制定された。また、欧州においても２０１７年に米国と同様に医療機器規則が公布され、日本においても１９９９年から国際的な標準バーコードであるＧｅｎｅｒａｌ  Ｓｐｅｃｉｆｉｃａｔｉｏｎ  １（ＧＳ１）シンボルを使用したパッケージへの表示が進みつつある。
【０００３】
特許文献１では、インスツルメントをハンガーに収納させた状態で、インスツルメントを収納するためのハンガーに設けられたリーダライタによって、インスツルメントに取り付けられた無線タグから識別情報を読み取ることが開示されている。
【先行技術文献】
【特許文献】
【０００４】
【特許文献１】特許第６３０６６４２号公報
【発明の概要】
【発明が解決しようとする課題】
【０００５】
しかし、特許文献１に記載のインスツルメントである歯科用ハンドピースは、ハンガーに収納させたときに無線タグを使用して識別情報が読み取られることを前提としており、表記に基づく識別情報を付す位置について、十分に考慮されていなかった。
【０００６】
本発明は、この問題点を解決するためになされたものであり、表記に基づいた識別情報を読み取り易い医科歯科用ハンドピースを提供することを目的とする。
【課題を解決するための手段】
【０００７】
本発明に係る医科歯科用ハンドピースは、本体部と、本体部に設けられ、術者が把持する把持部とを含み、把持部とならない本体部の外周面に、識別情報を示す一次元または二次元の識別コードが付されている。
【発明の効果】
【０００８】
その結果、術者が医科歯科用ハンドピースを把持したままでも表記に基づいた識別コードを読み取らせることのできる医科歯科用ハンドピースを提供することができる。
【図面の簡単な説明】
【０００９】
【図１】ハンドピースの適用場面を模式的に示す図である。
【図２】本実施の形態１に係るハンドピースの斜視図である。
【図３】本実施の形態１に係るハンドピースの側面図である。
【図４】本実施の形態１に係るハンドピースの端面図である。
【図５】本実施の形態２に係るハンドピースの端面図である。
【図６】本実施の形態３に係るハンドピースの斜視図である。
【図７】本実施の形態４に係るハンドピースの斜視図である。
【図８】本実施の形態５に係るハンドピースの斜視図である。
【図９】本実施の形態６に係るハンドピースの側面図である。
【図１０】本実施の形態６に係るハンドピースに取り付け可能なＲＦＩＤタグの構成を説明するための概略図である。
【図１１】本実施の形態６に係るハンドピースにＲＦＩＤタグを取り付けていない状態の斜視図である。
【図１２】変形例における管理システムを説明するための概略図である。
【発明を実施するための形態】
【００１０】
以下の実施の形態について、図面を参照しながら詳細に説明する。なお、図中の同一または相当部分については、同一符号を付してその説明は繰り返さない。本実施の形態においては、医科歯科用ハンドピースの一例として、歯科に利用されるハンドピースについて説明する。なお、ハンドピースに関しては、歯科に限らず、口腔外科、耳鼻咽喉科、外科、および獣医科など、あらゆる医科の診療にも適用することが可能である。
【００１１】
（Ａ．概要）
歯科用ハンドピース４（以下、単に「ハンドピース４」と称する）は、歯科用診療装置１０（以下、単に「診療装置１０」と称する）に取り付けられる。術者は、診療装置１０にハンドピース４を取り付けることで、歯科診療を行なうことができる。
【００１２】
ハンドピース４は、使用時に患者に接触することで細菌やウィルスなどによって汚染される可能性がある。このため、使用後のハンドピース４のメンテナンスにおいては、次の患者に使用する前に滅菌などの処理をハンドピース４に施す必要がある。また、滅菌処理によりハンドピース４に対して耐久性の負荷がかかるため、ハンドピース４の使用回数が予め決まっていることもある。
【００１３】
そのため、ハンドピース４を個別に識別して管理する必要がある。図１は、ハンドピース４の適用場面を模式的に示す図である。ハンドピース４は、図１に示す管理システム１０００によって管理される。管理システム１０００は、ハンドピース４と、診療装置１０と、コンピュータ１００と、サーバ２００とを備える。
【００１４】
ハンドピース４は、診療装置１０への取り付け、および診療装置１０からの取り外しが可能である。ハンドピース４には、ハンドピース４の識別番号を示す二次元の識別コード４３が付されている。識別コード４３は、光学的に読み取ることができればよく、たとえば、一次元のバーコード等の識別コードや、目視可能な文字（たとえば数字）であってもよい。識別番号は、識別コード４３が付されたハンドピース４に対して割り当てられた固有のシリアル番号など、ハンドピース４を個別に識別するための識別情報である。二次元識別コードとしては、Ｇｅｎｅｒａｌ  Ｓｐｅｃｉｆｉｃａｔｉｏｎ  １（ＧＳ１）データマトリックス（二次元シンボル）やＱＲコード（登録商標）等の色々なものが採用できる。また、一次元のバーコード等の識別コードとしては、国際的な標準バーコードであるＧｅｎｅｒａｌ  Ｓｐｅｃｉｆｉｃａｔｉｏｎ  １−１２８（ＧＳ１−１２８）やＧＳ１  Ｊａｐａｎ、Ｇｌｏｂａｌ  Ｔｒａｄｅ  Ｉｔｅｍ  Ｎｕｍｂｅｒ（ＧＴＩＮ）、Ｊａｐａｎ  Ａｒｔｉｃｌｅ  Ｎｕｍｂｅｒ（ＪＡＮ）、Ｅｕｒｏｐｉａｎ  Ａｒｔｉｃｌｅ  Ｎｕｍｂｅｒ  （ＥＡＮ）、Ｕｎｉｖｅｒｓａｌ  Ｐｒｏｄｕｃｔ  Ｃｏｄｅ（Ｕ．Ｐ．Ｃ．）等の他色々なものが採用できる。
【００１５】
診療装置１０は、コンピュータ１００と通信可能に接続されている。また、コンピュータ１００は、サーバ２００と通信可能に接続されている。サーバ２００は、各ハンドピース４の使用状況を示す管理情報２２を記憶する。管理情報２２は、ハンドピース４ごとに記憶されている。
【００１６】
診療装置１０は、診療椅子１と、照明装置（無影灯）７と、制御装置９と、ハンドピース４に付された識別コード４３を読み取り可能なリーダ１０ａとを備える。
【００１７】
リーダ１０ａは、識別コード４３を光学的に読取可能であって、周知の光学式コードリーダである。リーダ１０ａは撮像部と、撮像部が撮像した識別コード４３の画像から識別番号を取得する取得部とを備える。撮像部は、たとえば、ＣＣＤ素子やＣＭＯＳ素子などの固体撮像素子（受光素子）が二次元的に配列された受光センサなどによって構成されている。読取部は、たとえば、ＣＰＵ（Central Processing Unit）等のプロセッサがプログラムメモリに格納されたプログラムを実行することにより実現される。読取部は、受光センサから出力された受光信号を、画像認識技術などを用いて解析して、識別コード４３にエンコードされた情報を解析して識別情報を取得する。
【００１８】
図１に示す例では、リーダ１０ａは、診療椅子１の上部に設けられており、具体的には、診療椅子１に設けられ、診療部位を上部から照らす照明装置７に取り付けられている。なお、リーダ１０ａは、診療装置１０のいずれの位置に設けられていてもよいものの、診療中に術者の手の届く範囲にリーダ１０ａが設けられていることが好ましい。
【００１９】
制御装置９は、診療装置１０に設けられた各種装置を制御するとともに、診療装置１０が取得する各種情報を管理する。制御装置９は、リーダ１０ａが読み取った識別情報をコンピュータ１００に送る。コンピュータ１００は、リーダ１０ａが読み取った識別番号に対応するハンドピース４の管理情報２２をサーバ２００から検索し、該当する管理情報２２を取得する。コンピュータ１００は、管理情報２２からハンドピース４の使用状況を取得し、使用状況に応じた処理を実行する。
【００２０】
使用状況は、たとえば、ハンドピース４が使用された累計回数、ハンドピース４の累計使用時間、ハンドピース４が滅菌されているか否かを示す情報、給油が必要なハンドピース４にあっては油の残量などを含む。「使用状況に応じた処理」は、たとえば、使用するのに適していないハンドピース４である場合に、使用を中止するための修理依頼や交換等の処理が挙げられる。使用するのに適していないとは、たとえば、累計使用回数や累計使用時間が予め定められた限度を超えている、あるいは、限度に達しそうな場合、滅菌処理が施されていない場合、油の残量が所定値以下である場合、などが挙げられる。また、「使用を中止するための処理」は、ハンドピース４を使えなくする処理と、ハンドピース４が使用に適していないことを通知する処理とを含む概念である。
【００２１】
なお、コンピュータ１００が、管理情報２２からハンドピース４の使用状況を取得し、使用状況に応じた処理を実行するものとしたが、制御装置９とコンピュータ１００とが共同してこれらの処理を実行するようにしてもよい。
【００２２】
また、コンピュータ１００は、リーダ１０ａが読み取った識別番号に対応するハンドピース４の管理情報２２を更新する処理を実行する。たとえば、コンピュータ１００は、使用回数や使用時間を更新したり、滅菌処理が施されているという情報から施されていないという情報に変更したりする。
【００２３】
このように、識別コード４３に基づいてハンドピース４を個々に管理する場合、識別コード４３を読み取る処理が必ず必要となる。以下、識別コード４３が付されたハンドピース４の各種実施の形態について説明する。
【００２４】
（実施の形態１）
図２は、本実施の形態１に係るハンドピース４ａの斜視図である。ハンドピース４ａは、エアタービンハンドピース等のコントラアングルハンドピースである。ハンドピース４ａは、本体部４１と、本体部４１に設けられた術者が把持する把持部４２とを備えており、さらに、把持部４２とならない本体部４１の位置に、識別番号が識別コード４３として付されている。把持部４２は、術者が診療を行なう際に把持する領域である。例えば、図２においては、識別コード４３がハンドピースの後部に設けられている。
【００２５】
識別番号は、識別コード４３が付されたハンドピース４ａに対して割り当てられた固有のシリアル番号など、ハンドピース４を個別に識別するための識別情報である。識別コード４３は、ＧＳ１データマトリックス等の二次元の識別コードであっても、また一次元のＧＳ１−１２８によるバーコード等の識別コードであってもよい。また、識別コード４３は、数字などの文字情報であってもよいし、バーコードと数字との組み合わせである場合もある。なお、以下の実施の形態においては、ハンドピース４ａに二次元の識別コードが付されているものとして説明する。
【００２６】
識別コードをハンドピースに直接表記することで、ＲＦＩＤ等による電子的な識別情報の付与に比べて、識別情報がハンドピースに記載されていることが視覚で把握できるので、識別情報が付与されているかどうかの判断がすぐに出来る。また、識別情報の印字部の劣化や汚れについても見れば判るので、間違いが起こりにくい。更に、電子的識別情報の付与に比べて、費用が低く抑えられる。
【００２７】
把持部４２とならない本体部４１の位置に識別コード４３が付されていることにより、術者がハンドピース４ａを把持したときに、識別コード４３が術者の手によって覆われてしまうことを防止することができる。その結果、術者がハンドピース４ａを把持したままでも識別コード４３をリーダ１０ａに読み取らせることができる。そのため、術者は、リーダ１０ａに識別コード４３を読み取らせることを意識してハンドピース４ａの持ち方を変えたりする必要がない。
【００２８】
換言すると、識別コード４３は、術者がハンドピース４ａを把持しているときに、診療装置１０に設けられた読取装置の一例であるリーダ１０ａが識別コード４３を読み取ることができる位置に付されている。
【００２９】
また、識別コード４３に手が触れることで、識別コード４３が摩耗し、識別コード４３がハンドピース４３ａから取れてしまう虞がある。識別コード４３は、ハンドピースの個体を識別するための情報であって、上記管理システム１０００を機能させる上で重要な情報である。識別コード４３が把持部４２とならない本体部４１の位置に付されていることにより、識別コード４３が摩耗し、ハンドピース４３ａから取れてしまい、重要な情報を読み取れなくなることを防止することができる。
【００３０】
また、ハンドピース４ａは、外周面の一部が平滑な面となっている平面部４７を有し、識別コード４３が平面部４７に付されている。平面部４７に識別コード４３を付すことにより、曲面に識別コード４３を付す場合に比べて、識別コード４３を読み取り易くすることができる。また、曲面に識別コード４３を付すよりも、平面に識別コード４３を付した方が、印字がし易い。
【００３１】
識別コード４３をハンドピース４ａに付す方法は、印字のように直接付す方法に限らず、たとえば、識別コード４３が付されたシールをハンドピース４ａに貼るように間接的に付す方法であってもよい。ハンドピース４ａを直接付す方法としては、たとえば、インクを付着させる方法と、レーザマーカや刻印など表面の形状を変えることで付す方法とが挙げられる。なお、レーザマーカや刻印など表面の形状を変えることで識別コード４３を付す方法の方が、インクで付す方法に比べて消えにくい点で好ましい。
【００３２】
識別コード４３を直接印字する場合、透明な耐熱性コーティングを印字箇所に施してもよい。口腔内に用いられる性質上、使用する毎に、ハンドピース４は滅菌処理としてオートクレーブが行われる必要がある。そのため、ハンドピース４に付される識別コード４３も、洗浄や滅菌などの処理に対して十分な耐性を確保する必要がある。透明な耐熱性コーティングを印字箇所に施すことで、識別コード４３の、オートクレーブなどの洗浄処理や滅菌処理に対する耐性を向上させることができる。
【００３３】
透明な耐熱性コーティングを施す方法は、耐熱性のある透明な塗料を塗布する方法、透明な耐熱性を有するシートを貼り付ける方法などが挙げられる。また、透明な耐熱性を有する材料としては、例えば、ポリエステル樹脂やアクリル樹脂などを用いることができる。
【００３４】
図３は、本実施の形態１に係るハンドピース４ａの側面図である。本体部４１は、診療部位用のヘッド部４４と、把持部４２と、筒状部４５とを備える。ここで、診療とは、診察と、治療とを含む概念である。
【００３５】
ヘッド部４４は、本体部４１の先端に設けられており、口腔内に挿入される部位である。ヘッド部４４が設けられた本体部４１の一端を先端とすると、筒状部４５は、本体部４１の他端に設けられている。なお、以下では、ヘッド部４４が設けられている方向を「前方」とし、筒状部４５が設けられている方向を「後方」とする。また、ハンドピース４ａの後方からハンドピース４ａを見たときの右側を「右」、左側を「左」とする。すなわち、図３に示す側面図は左側面図である。
【００３６】
ヘッド部４４は、工具４４ｃを着脱可能な接続部４４ｂと、接続部４４ｂの設けられた診療面４４ａと、診療面４４ａと対向する位置に設けられたキャップ４４ｄとを備える。術者は、診療面４４ａと診療部位Ｘが対面するようにハンドピース４ａを操作し、工具４４ｃを用いて診療部位Ｘに対して処置を施す。なお、以下では、ハンドピース４ａの診療面４４ａ側を「下」、キャップ４４ｄ側を「上」とする。なお、キャップ４４ｄは、ヘッド部４４の上面４４ｅを構成する。
【００３７】
把持部４２は、ヘッド部４４と筒状部４５との間に位置する。すなわち、ヘッド部４４は、把持部４２の前方側に連接されており、一方、筒状部４５は、把持部４２の後方側に連接されている。筒状部４５は、ハンドピース４ａの駆動を制御する診療装置１０と接続するための接続部４６を後端に有する。
【００３８】
筒状部４５の外周のうち、左側面に平面部４７が設けられており、平面部４７に識別コード４３が付されている。すなわち、識別コード４３は、筒状部４５の外周に付されている。すなわち、識別コード４３は、本体部４１のうちの口腔内に挿入される前方ではなく、後方に付されている。診療中、本体部４１の前方領域が口腔内に挿入される。そのため、本体部４１の外周が摩耗する可能性は、本体部４１のうちの前方領域よりも後方領域の方が低い。識別コード４３が本体部４１の後方に設けられた筒状部４５の外周に付されていることにより、識別コード４３が摩耗してしまうことを防止することができる。
【００３９】
図４は、本実施の形態１に係るハンドピース４ａの端面図である。図４（Ａ）は、図３におけるＡ−Ａ端面図、図４（Ｂ）は、図３におけるＢ−Ｂ端面図、図４（Ｃ）は、図３におけるＣ−Ｃ端面図、図４（Ｄ）は、図３におけるＤ−Ｄ端面図、図４（Ｅ）は、図３におけるＥ−Ｅ端面図である。
【００４０】
図４に示すように、Ａ−Ａ端部からＢ−Ｂ端部にかけては径が変化しており、Ａ−Ａ端部からＢ−Ｂ端部にかけての部位は円錐台形状をしている。一方、Ｃ−Ｃ端部からＥ−Ｅ端部にかけては径が変化しておらず、Ｃ−Ｃ端部からＥ−Ｅ部にかけての部位は円柱形状をしている。
【００４１】
図３に示すように、Ａ−Ａ端部からＢ−Ｂ端部にかけての部位は、把持部４２に含まれる。一方、Ｃ−Ｃ端部からＥ−Ｅ部にかけての部位は、筒状部４５に含まれる。すなわち、筒状部４５は、円柱形状である。
【００４２】
また、図４（Ｅ）に示すように、本体部４１の筒状部４５の外周面には、平面部４７が形成されている。平面部４７に、識別コード４３が付されている。平面部４７は、筒状部４５の側面を削ぎ落としたような形状をしている。
【００４３】
なお、実施の形態１のハンドピース４ａは、筒状部４５に平面部４７を形成し、平面部４７に識別コード４３が付されているとしたが、平面部４７を形成することなく、曲面に識別コード４３を付してもよい。具体的には、Ｃ−Ｃ端部からＥ−Ｅ部にかけての径の変化しない円柱形状の筒状部４５の曲面に識別コード４３を付してもよい。径の変化しない曲面は、長手方向に沿って曲率が変化しない面である。長手方向に沿って曲率が変化する円錐台形状の部位の曲面に識別コード４３を付す場合に比べて、長手方向に沿って曲率が変化しない面は、識別コード４３を付しやすい。
【００４４】
（実施の形態２）
図５は、本実施の形態２に係るハンドピース４ｂの端面図である。実施の形態２に係るハンドピース４ｂは、筒状部４５の外周面の一部に平面部４７に凹部４８が形成され、凹部４８に識別コード４３が付されている点で、ハンドピース４ａと異なる。具体的に、本実施の形態２に係るハンドピース４ｂの全体形状は、ハンドピース４ａと比べて平面部４７に凹部４８が形成されている点で異なるのみであって、他の形状はハンドピース４ａと共通する。
【００４５】
図５に示す凹部４８は、筒状部４５の外周面に形成されており、筒状部４５の中心方向に埋没した形状をしている。また、凹部４８は、所定の深さを有し、その底が平面（底面４８ａ）となっている。
【００４６】
なお、凹部４８の深さは、識別コード４３の読み取り時に、凹部４８の側面４８ｂによって生じる影に識別コード４３の一部が隠れてしまわない程度の深さであることが好ましい。具体的には、凹部４８の深さは、底面から識別コード４３の端までの距離よりも短いことが好ましい。
【００４７】
凹部４８に識別コード４３を付すことにより、識別コード４３が周囲の物と擦れる頻度を下げることができる。その結果、識別コード４３の摩耗を防止することができる。なお、凹部４８の底面４８ａが平面であることで、実施の形態１に係るハンドピース４ａと同じように、識別コード４３を印字しやすいという効果と、識別コード４３を読み取り易いという効果が得られるものの、底面４８ａは平面に限られず、曲面であってもよい。
【００４８】
また、実施の形態２においては、平面に凹部４８を設けるものとして説明したが、曲面に凹部を設けるようにしてもよい。
【００４９】
また、凹部４８の上部に透明の窓を取り付けることで、識別コード４３を保護してもよい。このようにすることで、識別コード４３の摩耗をさらに防止することができる。また、凹部４８の上部に透明の窓を、本体部４１の外周面の凹凸を無くすように設けてもよい。このようにすることで、外周面の凹凸が無くなり、ハンドピースの外周面を滑らかにすることができる。なお、外周面の凹凸を無くす方法は、窓を取り付ける方法に限らず、例えば、凹部４８と対応する凸状体を凹部４８に嵌める方法であってもよい。さらに、凹部４８に前述の透明な耐熱性コーティングを施して外周をハンドピースの外径に沿った円柱形としても良い。
【００５０】
（実施の形態３）
図６は、本実施の形態３に係るハンドピース４ｃを示す図である。ハンドピース４ｃは、ハンドピース４ａと比して、識別コード４３が付されている位置が異なる。
【００５１】
ハンドピース４ｃは、ハンドピース４ａと同様、先端にヘッド部４４を備える。また、ヘッド部４４は、ハンドピース４ａと同様、診療面４４ａと、診療面４４ａに設けられた接続部４４ｂと、接続部４４ｂに取り付けられる工具４４ｃと、診療面４４ａと対向する位置に設けられたキャップ４４ｄとを備える。キャップ４４ｄは、ヘッド部４４の上面４４ｅを構成する。
【００５２】
診療面４４ａ側を下、キャップ４４ｄ側を上としたときに、ハンドピース４ｃは、筒状部４５の上面に平面部４７を有し、平面部４７に識別コード４３が付されている。実施の形態３に係るハンドピース４ｃにおいても、平面部４７に識別コード４３が付されていること、ハンドピース４ｃの後方領域に識別コード４３が付されていることによって、実施の形態１に係るハンドピース４ａと同様の効果が得られる。
【００５３】
実施の形態３においては、特に、筒状部４５の上面に識別コード４３が付されていることにより、術者が把持部４２を把持したときに、識別コード４３が術者自身の影に隠れてしまいにくく、識別コード４３を読み取り易くすることができる。また、筒状部４５の上面に識別コード４３を付すことにより、右手と左手とのうち、いずれの手で術者がハンドピース４ｃを把持した場合であっても、識別コード４３が付された面が術者の体が位置する側になることがない。そのため、術者の利き腕に関わらず、識別コード４３を読み取り易い位置にしておくことができる。
【００５４】
なお、識別コード４３は、診療面４４ａ側の面、すなわち、筒状部４５の底面に付されていてもよいものの、側面から上面までのいずれかの位置に設けられている場合の方が、識別コード４３が術者自身の影に隠れてしまいにくく、識別コード４３を読み取り易い。
【００５５】
（実施の形態４）
図７は、本実施の形態４に係るハンドピース４ｄの斜視図である。ハンドピース４ｄは、ハンドピース４ａと比して、識別コード４３が複数付されている点で異なる。すなわち、ハンドピース４ｄは、識別コード４３に加えて識別コード４３ａが付されている。
【００５６】
ハンドピース４ｄは、筒状部４５の上面に形成された平面部４７ａに識別コード４３ａが付されている。識別コード４３と識別コード４３ａとはいずれも二次元の識別コードである。また、識別コード４３と識別コード４３ａとが示す情報は、互いに共通する。このように、識別コード４３と識別コード４３ａとが示す情報が互いに共通であることで、識別コード４３および識別コード４３ａのうちのいずれか一方を読み取れればよく、識別情報を読み取り可能な範囲が広がる。
【００５７】
なお、識別コード４３と識別コード４３ａとはいずれも二次元の識別コードであるとしたが、一方を一次元の識別コードとし、他方を二次元の識別コードとしてもよい。異なる種類の識別コードを付すことによって、対応可能な読取装置が増える。
【００５８】
また、識別コード４３が示す情報と識別コード４３ａが示す情報とを互いに異なるようにしてもよい。このようにすることで、ハンドピース４ｄから読み取ることが可能な情報を増やすことができる。
【００５９】
具体的には、識別コード４３が示す情報を識別情報とし、識別コード４３ａが示す情報をハンドピース４ｄの使用方法に関する情報とし、リーダ１０ａで識別コード４３ａを読み取り、診療装置１０に設けられた表示モニタ等の表示部に使用方法に関する情報を表示するような構成であってもよい。このようにすることで、取扱説明書が手元に無くとも、術者にハンドピースの使い方を示すことができる。
【００６０】
また、識別コード４３と識別コード４３ａとで、一方を書き換え可能な塗料で付された識別コードとし、他方を書き換え不可能な塗料で付された識別コードとしてもよい。
【００６１】
なお、本実施の形態４においては、ハンドピースに識別コードを２つ付す例を示したものの、３以上付してもよい。また、識別コードを２つ付す場合、付す位置は図７に示す例に限られず、たとえば、右側面および左側面の各々に識別コードを付してもよい。このようにすることで、左利きの術者も、右利きの術者も、同じようにハンドピースを使用することができる。
【００６２】
（実施の形態５）
図８は、実施の形態５に係るハンドピース４ｅの斜視図である。ハンドピース４ｅは、ハンドピース４ａと比して、識別コード４３がヘッド部４４に付されている点で異なる。
【００６３】
ハンドピース４ｅは、コントラアングルハンドピースである。ヘッド部４４は、診療部位Ｘと対向する診療面４４ａと、診療面４４ａに設けられた工具４４ｃを取り付け可能な接続部４４ｂと、診療面４４ａと対向する位置に設けられたキャップ４４ｄとを備える。キャップ４４ｄは、ヘッド部４４の上面４４ｅを構成する。識別コード４３は、ヘッド部４４のうちの上面４４ｅに付されている。コントラアングルハンドピースにおいては、上面４４ｅが平面となっている。そのため、形成された平面部４７に識別コード４３を付す場合と同じ効果を得られる。
【００６４】
すなわち、本実施の形態１〜４においては、平面部を本体部４１の外周面に形成し、形成した平面に識別コード４３を付すものとしたが、予め平面を備えた形状をしているハンドピースにおいては、平面を形成しなくともよい。たとえば、長手軸に直交する断面が四角となる外形が四角柱形状をした部位を備えるハンドピースにおいては、当該部位の平面部分に識別コードを付してもよい。
【００６５】
なお、キャップ４４ｄは、ハンドピース４ｅをメンテナンスする際に取り外すことができる部品である。そのため、キャップ４４ｄを紛失してしまう虞がある観点から、キャップ４４ｄに付すよりも、ハンドピース４ｅから取り外すことのできない部品に識別コード４３を付すことが好ましい。
【００６６】
（実施の形態６）
図９は、本実施の形態６に係るハンドピース４ｆの側面図である。実施の形態６に係るハンドピース４ｆは、識別コード４３に加えて、電磁界や電波などを用いた近距離（周波数帯によって数ｃｍ〜数ｍ）の無線通信によって、情報の読み書きを行うことが可能なＲＦＩＤ（Radio Frequency IDentification）タグ５０が取り付けられている点で、ハンドピース４ａと異なる。なお、ハンドピース４ｆは、曲面に識別コード４３が付されている点でハンドピース４ａ異なるものの、識別コード４３が付されている位置についてはハンドピース４ａとおおよそ同じものとする。
【００６７】
ハンドピース４ｆは、光学的に読取可能な識別コード４３に加えて、電磁界や電波などで読取可能なＲＦＩＤタグ５０が取り付けられていることにより、光学式のリーダに加えて、電磁界または電波などを利用したリーダを利用することができる。その結果、ハンドピース４ｆの汎用性を上げることができる。また、識別コード４３は、情報を書き換えることができないという点で、過って識別番号を消してしまったりすることを防止することができるものの、情報を書き換えたりすることができない。ハンドピース４ｆは、情報の書き換えが可能なＲＦＩＤタグ５０を備えることにより、付すことが可能な情報の幅を広げることができ、汎用性が高くなる。
【００６８】
図１０を参照して、ＲＦＩＤタグ５０の構造について説明する。図１０は、本実施の形態６に係るハンドピース４ｆに取り付け可能なＲＦＩＤタグ５０の構成を説明するための概略図である。図１０（ａ）は、ＲＦＩＤタグ５０の外観を示す斜視図、図１０（ｂ）は、ＲＦＩＤタグ５０の内部構造を示す斜視図である。
【００６９】
ＲＦＩＤタグ５０は、ゴムバンド式のＩＣタグである。ＲＦＩＤタグ５０は、バンド部５０ａ、保護部材５０ｂ、ＲＦＩＣ（Radio Frequency Integrated Circuits）チップ５５で構成されている。バンド部５０ａは、弾性を有し、ハンドピース４ｆに取り付けることが可能なリング状である。バンド部５０ａには、例えばオートクレーブ耐性のあるフッ素ゴムを用いる。なお、バンド部５０ａは、フッ素ゴム以外に合成ゴムであるシリコンゴムなどであってもよい。ここで、リング状の形状は、ハンドピースに取付けられた場合の形状であって取付前の形状に限定されない、そのため、バンド部５０ａは、取付前の形状がベルト状で、ハンドピースに取付けられた場合にベルト状の一部を金具や結束部で繋ぎリング状の形状となるものでもよい。例えば、バンド部が結束バンドでできたＲＦＩＤタグでもよい。
【００７０】
ＲＦＩＣチップ５５は、バンド部５０ａの一部に設けられ、ハンドピースの識別情報である識別番号を記憶することが可能である。ＲＦＩＣチップ５５は、電磁界や電波などを用いた近距離（周波数帯によって数ｃｍ〜数ｍ）の無線通信によって、情報の読み書きを行うことができる。なお、図１０（ｂ）に示すＲＦＩＣチップ５５では、図示していないアンテナと接続するパッシブ型のＲＦＩＣチップである。そのため、読み取り装置（リーダ）からの電波をエネルギー源としてＲＦＩＣチップが動作し、ＲＦＩＤタグ５０内に電池を内蔵する必要がない。なお、ＲＦＩＣチップ５５は、パッシブ型のＲＦＩＣチップに限定されず、ＲＦＩＤタグ５０に内蔵した電池と接続するアクティブ型のＲＦＩＣチップでもよい。
【００７１】
保護部材５０ｂは、バンド部５０ａ上でＲＦＩＣチップ５５をゴム成形技術で密封している。保護部材５０ｂは、耐熱性を有しており、ＲＦＩＣチップ５５を密封することで、洗浄や殺菌などの処理、例えばオートクレーブの耐性を向上させている。さらに、保護部材５０ｂは、平面視が略円形でＲＦＩＣチップ５５を覆う部分の形状が凸曲面状である。これにより、リーダライラからの電波を図示していないアンテナで受信し易くなるとともに、ＲＦＩＤタグ５０に引っかかる部分がないので医療用ハンドピースに取付けても術者の邪魔にならない。
【００７２】
ＲＦＩＤタグ５０に使用できる周波数帯は、日本国内においてＨＦ帯（１３．５６ＭＨｚ）と、ＵＨＦ帯（９１５ＭＨｚ〜９３０ＭＨｚ）の２種類が使用できる。ＨＦ帯は、非接触ＩＣカードなどでも広く利用されており、極近距離でＲＦＩＤタグ５０の読み取りが可能である。一方、ＵＨＦ帯は、ＨＦ帯に比べて電波の回込みが期待でき、ＨＦ帯より遠い距離でＲＦＩＤタグ５０の読み取りが可能である。なお、ＲＦＩＤタグ５０に使用できる周波数帯は、上記の周波数帯に限定されず、国や規制により変更される。
【００７３】
図１１は、本実施の形態６に係るハンドピース４ｆにＲＦＩＤタグ５０を取り付けていない状態の斜視図である。ハンドピース４ｆは、把持部４２とならないハンドピース４ｆの後方の筒状部４５の外周に、ＲＦＩＤタグ５０のバンド部５０ａと当接する外周溝４９を設けている。
【００７４】
外周溝４９は、ＲＦＩＤタグ５０のバンド部５０ａが収まるように筒状部４５を一周している。しかし、外周溝３３は、ＲＦＩＤタグ５０の位置ズレや位置決めができればよく、筒状部４５を一周する形状に限定されず、バンド部５０ａの一部が当接する形状であればよい。また、外周溝４９は、把持部４２の後方に設けられているが、把持部３２以外の位置であればハンドピース４ｆのヘッド部４４側に設けてもよい。
【００７５】
外周溝４９を設けることで、バンド部５０ａが外周溝４９に収まるように、ＲＦＩＤタグ５０をハンドピース４ｆに取付けることができる。その結果、術者がハンドピース４ｆを使用中にＲＦＩＤタグ５０の位置がずれることがない。また、取付ける人がいずれの人であっても、バンド部５０ａが外周溝４９に収まる同じ位置にＲＦＩＤタグ５０を取付けることができる。
【００７６】
（変形例）
（１）  ハンドピース４は、たとえば、エアタービンハンドピース、マイクロモータハンドピース、スケーラ、スリーウェイシリンジ、レーザハンドピースおよびバキュームシリンジなどの歯科診療用のインスツルメントに限らず、口腔内カメラ、光重合用照射器、根管長測定器、三次元スキャナ、および根管治療用ハンドピースなどであってもよい。また、本実施の形態１〜４においては、切削工具軸と把持軸とが交差する形態のコントラアングルハンドピースのハンドピースを例に開示したが、ハンドピースは、切削工具軸と把持軸とが同軸となる形態のストレートハンドピースであってもよい。また、診療装置１０にチューブを介して接続されるハンドピースを例に挙げたが、チューブを使用しない充電式のハンドピースであってもよい。更には、本発明の医科歯科用ハンドピースは、上記の歯科診療用インスツルメント以外にも口腔外科用ハンドピースや外科手術用ハンドピース、耳鼻科手術用マイクロモータハンドピース等を含むもので、電気、エアー等の駆動源があるものや、レーザ光を患部に照射するレーザ手術用ハンドピースや、患部に励起光を照射して患部から出る蛍光を観察する蛍光観察用ハンドピースなど、術者が手に持って診療に使用する医療用ハンドピース全てを含む概念である。
【００７７】
（２）  図１においては、識別コード４３が付されているハンドピース４を含む管理システム１０００の一例として、診療装置１０を含む管理システム１０００を示した。なお、管理システム１０００として他の処理装置を含んでもよい。図１２は、変形例における管理システム１０００ａを説明するための概略図である。
【００７８】
ハンドピース４は、使用時に患者に接触することで様々な細菌やウィルスなどによって汚染される可能性がある。このため、使用後のハンドピース４のメンテナンスにおいては、次の患者に使用する前に滅菌などのメンテナンス処理をハンドピース４に施す必要がある。本変形例においては、メンテナンス処理時の工程として、洗浄装置６０によってハンドピース４を洗浄するメンテナンス処理を行うための洗浄工程と、給油装置７０によってハンドピース４を給油するメンテナンス処理を行うための給油工程と、滅菌装置８０によってハンドピース４を滅菌するメンテナンス処理を行うための滅菌工程とが設けられている。なお、洗浄装置６０、給油装置７０、および滅菌装置８０は、「処理装置」の一実施形態であり、以下では、これらをまとめて「メンテナンス処理装置」とも称する。なお、本実施の形態における滅菌装置８０は、高温蒸気滅菌(オートクレーブ)を行うものであるが、他の滅菌処理を行うものであってもよい。
【００７９】
一般的に、衛生上の観点から、ハンドピース４のメンテナンスにおいては、各メンテナンス処理が行われる順番が予め決められている。本変形例においては、最初に洗浄装置６０による洗浄工程、次に給油装置７０による給油工程、最後に滅菌装置８０による滅菌工程といったように、予め決められた工程順でメンテナンス処理が行われる。このように、予め決められた工程順でメンテナンス処理が行われることで、メンテナンス処理後のハンドピース４を安全に次の患者に使用することができる。特に滅菌は、洗浄または給油によってもハンドピース４に菌が付着する虞があるため、他の全てのメンテナンス処理が完了した最後のメンテナンス処理として行われる必要がある。
【００８０】
しかし、複数のメンテナンス処理を予め決められた工程順で行うことを術者頼りにしてしまうと、人為的ミスなどによって、一部のメンテナンス処理がスキップされたり、同じメンテナンス処理が重複して行われたりといったことが起こり得る。そこで、本変形例においては、識別コード４３が付されたハンドピース４を用いることで、予め決められた工程順で複数のメンテナンス処理が行われたか否かについてハンドピース４ごとに管理するようになっている。なお、ハンドピース４のメンテナンスにおいて、予め決められた工程順で複数のメンテナンス処理が行われないようなエラーを、「メンテナンスエラー」とも称する。以下、本変形例におけるハンドピース４のメンテナンスについて説明する。
【００８１】
図１２に示すように、複数のメンテナンス処理装置のそれぞれによってメンテナンス処理が行われることでハンドピース４のメンテナンスを管理する管理システム１０００ａは、診療装置１０と、洗浄装置６０、給油装置７０、および滅菌装置８０を含む複数のメンテナンス処理装置と、ハンドピース４と、コンピュータ１００と、サーバ２００とを備える。メンテナンス処理装置の各々は、サーバ２００と通信可能に接続されている。
【００８２】
洗浄装置６０は、処理部６１を含む。洗浄装置６０の処理部６１は、チャンバ―内に取り付けられたハンドピース４に対して、洗浄、すすぎ、消毒、および乾燥などのメンテナンス処理を施すことで、ハンドピース４に付着した汚れを取り除く。
【００８３】
洗浄装置６０には、ハンドピース４に付された識別コード４３を光学的に読み取るリーダ６０ａが取り付けられている。洗浄装置６０の処理部６１は、リーダ６０ａによって読み取られた識別情報に対応する管理情報２２をサーバ２００から取得し、管理情報２２に基づき、ハンドピース４に対して洗浄などのメンテナンス処理を行う。
【００８４】
給油装置７０は、処理部７１を含む。給油装置７０の処理部７１は、チャンバ―内に取り付けられたハンドピース４に対して、給油などのメンテナンス処理を施すことで、ハンドピース４を潤滑油となるオイルを補充する。
【００８５】
給油装置７０には、ハンドピース４に付された識別コード４３を光学的に読み取るリーダ７０ａが取り付けられている。給油装置７０の処理部７１は、リーダ７０ａによって読み取られた識別情報に対応する管理情報２２をサーバ２００から取得し、管理情報２２に基づき、ハンドピース４に対して給油などのメンテナンス処理を行う。
【００８６】
また、給油装置７０は、処理装置側制御部７５として、警告制御部７２と禁止制御部７３とを含む。
【００８７】
警告制御部７２は、給油装置７０に設けられた図示しないＬＥＤなどのランプを点灯させたり、給油装置７０に設けられた図示しないスピーカから音を出力させたりすることで、警告を発生させる制御を行う。なお、警告制御部７２は、ランプおよびスピーカに限らず、図示しない表示画面に警告画像を表示するなど、その他の手段を用いて警告を発生するものであってもよい。本変形例においては、警告制御部７２は、リーダ７０ａによって読み取られた識別情報に対応する管理情報２２に基づき、給油の前工程である洗浄が行われていないと判断した場合に、警告を発生する。このように、警告制御部７２は、洗浄工程をスキップして給油工程が行われるといったメンテナンスエラーが生じた場合に、ランプやスピーカを用いて警告を発生させる制御を行う。
【００８８】
禁止制御部７３は、給油工程において、ハンドピース４に対する給油などのメンテナンス処理を禁止する制御を行う。本変形例においては、禁止制御部７３は、リーダ７０ａによって読み取られた識別情報に対応する管理情報２２に基づき、給油の前工程である洗浄が行われていないと判断した場合に、給油などのメンテナンス処理を禁止する制御を行う。このように、禁止制御部７３は、洗浄工程をスキップして給油工程が行われるといったメンテナンスエラーが生じた場合に、給油工程における給油を禁止する制御を行う。
【００８９】
滅菌装置８０は、処理部８１を含む。たとえば、滅菌装置８０がオートクレーブ滅菌装置の場合、滅菌装置８０の処理部８１は、チャンバ―内に取り付けられたハンドピース４に対して、高温高圧の飽和水蒸気による蒸気などを吹き付けて滅菌処理（オートクレーブ）を行うことで、ハンドピース４に付着した被滅菌物を滅菌する。
【００９０】
滅菌装置８０には、ハンドピース４に付された識別コード４３を光学的に読み取るリーダ８０ａが取り付けられている。滅菌装置８０の処理部８１は、リーダ８０ａによって読み取られた識別情報に対応する管理情報２２をサーバ２００から取得し、管理情報２２に基づき、ハンドピース４に対して滅菌などのメンテナンス処理を行う。
【００９１】
また、滅菌装置８０は、処理装置側制御部８５として、警告制御部８２と禁止制御部８３とを含む。
【００９２】
警告制御部８２は、滅菌装置８０に設けられた図示しないＬＥＤなどのランプを点灯させたり、滅菌装置８０に設けられた図示しないスピーカから音を出力させたりすることで、警告を発生させる制御を行う。なお、警告制御部８２は、ランプおよびスピーカに限らず、図示しない表示画面に警告画像を表示するなど、その他の手段を用いて警告を発生するものであってもよい。本変形例においては、警告制御部８２は、リーダ８０ａによって読み取られた識別情報に対応する管理情報２２に基づき、滅菌の前工程である洗浄および給油の少なくともいずれかが行われていないと判断した場合に、警告を発生する。このように、警告制御部８２は、洗浄工程や給油工程をスキップして滅菌工程が行われるといったメンテナンスエラーが生じた場合に、ランプやスピーカを用いて警告を発生させる制御を行う。
【００９３】
禁止制御部８３は、滅菌工程において、ハンドピース４に対する滅菌などのメンテナンス処理を禁止する制御を行う。本変形例においては、禁止制御部８３は、リーダ８０ａによって読み取られた識別情報に対応する管理情報２２に基づき、滅菌の前工程である洗浄および給油の少なくともいずれかが行われていないと判断した場合に、滅菌などのメンテナンス処理を禁止する制御を行う。このように、禁止制御部８３は、洗浄工程や給油工程をスキップして滅菌工程が行われるといったメンテナンスエラーが生じた場合に、滅菌工程における滅菌を禁止する制御を行う。
【００９４】
なお、ハンドピース４のメンテナンスにおいては、洗浄、給油、および滅菌に限らず、他のメンテナンス処理がハンドピース４に施されてもよい。たとえば、洗浄と給油との間に、消毒などのメンテナンス処理がハンドピース４に施されてもよい。
【００９５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９６】
１  診療椅子、４，４ａ，４ｂ，４ｃ，４ｄ，４ｅ，４ｆ  ハンドピース、７  照明装置、９  制御装置、１０  診療装置、１０ａ，６０ａ，７０ａ，８０ａ  リーダ、２２  管理情報、４１  本体部、４２  把持部、４３，４３ａ  識別コード、４４  ヘッド部、４４ａ  診療面、４４ｂ  接続部、４４ｃ  工具、４４ｄ  キャップ、４４ｅ  上面、４５  筒状部、４６  接続部、４７，４７ａ  平面部、４８  凹部、４８ａ  底面、４９  外周溝、５０  ＲＦＩＤタグ、５０ａ  バンド部、５０ｂ  保護部材、５５  ＲＦＩＣチップ、６０  洗浄装置、６１，７１，８１  処理部、７０  給油装置、７２，８２  警告制御部、７３，８３  禁止制御部、７５，８５  処理装置側制御部、８０  滅菌装置、１００  コンピュータ、２００  サーバ、１０００  管理システム、Ｘ  診療部位。
【図１】
2019216994.tif 000003
【図２】
2019216994.tif 000004
【図３】
2019216994.tif 000005
【図４】
2019216994.tif 000006
【図５】
2019216994.tif 000007
【図６】
2019216994.tif 000008
【図７】
2019216994.tif 000009
【図８】
2019216994.tif 000010
【図９】
2019216994.tif 000011
【図１０】
2019216994.tif 000012
【図１１】
2019216994.tif 000013
【図１２】
2019216994.tif 000014